(57)【要約】【課題】遊技種の異なる複数の遊技媒体の口座を使用する際の操作性を向上すること。【解決手段】会員管理装置５０が管理する複数の貯玉口座を表示制御する場合に、所定の条件を満たすか否か並びに貯玉口座の残高に基づいて表示の内容及び態様を制御する。貯玉を景品交換に利用する際には、利用日が最新の貯玉口座の表示態様を他の口座とは異ならせることにより強調し、該貯玉口座を操作者が見いだして選択することを支援する。貯玉を遊技に使用する貯玉再プレイ時には、運用中のレートのみが使用可能であるので、休眠中のレートに対応する貯玉口座は表示の対象外とし、運用中のレートに対応する貯玉口座の残高を選択的に表示制御する。【選択図】図１
2013183953.tif 000002
【特許請求の範囲】
【請求項１】
複数の遊技種について遊技媒体数をそれぞれ対応付けて管理する管理装置と、前記複数の遊技種に対応付けられた遊技媒体数あるいは前記遊技種を処理対象として選択し、遊技媒体に関連する所定の処理を実行する遊技媒体処理装置とを有する遊技システムであって、
前記遊技媒体処理装置は、
前記複数の遊技種のうち、遊技に使用可能な遊技種を表示対象として選択する表示対象選択手段と、
前記表示対象選択手段により選択された遊技種に対応付けられた遊技媒体数を示す情報を表示制御する表示制御手段と
を備えたことを特徴とする遊技システム。
【請求項２】
複数の遊技種について遊技媒体数をそれぞれ対応付けて管理する管理装置と、前記複数の遊技種に対応付けられた遊技媒体数から選択された遊技媒体数を使用して所定の処理を実行する遊技媒体処理装置とを有する遊技システムであって、
前記遊技媒体処理装置は、
前記複数の遊技種に対応付けられた遊技媒体数が所定の条件を満たすか否かを判定する判定手段と、
前記判定手段により前記所定の条件を満たすと判定された遊技種に対応付けられた遊技媒体数の表示態様を他の遊技種に対応付けられた遊技媒体数の表示態様と異ならせて表示制御する表示制御手段と
を備えたことを特徴とする遊技システム。
【請求項３】
前記管理装置は、前記複数の遊技種に対応付けられた遊技媒体数の各々について少なくとも最新の利用時間を関連付けて管理し、
前記判定手段は、前記最新の利用時間が前記複数の遊技種の中で最も新しいことを条件として判定し、
前記表示制御手段は、前記最終の利用時間が最新である遊技種に対応付けられた遊技媒体数の表示態様を他の遊技種に対応付けられた遊技媒体数の表示態様と異ならせて表示制御する
ことを特徴とする請求項２に記載の遊技システム。
【請求項４】
前記表示制御手段は、対応付けられた遊技媒体数が最大の遊技種に対応付けられた遊技媒体数を選択的に表示制御することを特徴とする請求項２に記載の遊技システム。
【請求項５】
前記表示制御手段は、対応付けられた遊技媒体数が０より大きい遊技種に対応付けられた遊技媒体数を選択的に表示制御することを特徴とする請求項２、３又は４に記載の遊技システム。
【請求項６】
前記表示制御手段は、前記複数の遊技種に対応付けられた遊技媒体数を、該遊技媒体数の大きさに基づく表示順序で表示制御することを特徴とする請求項２〜５のいずれか１つに記載の遊技システム。
【請求項７】
複数の遊技種について遊技媒体数をそれぞれ対応付けて管理する管理装置と、前記複数の遊技種に対応付けられた遊技媒体数あるいは前記遊技種を処理対象として選択し、遊技媒体に関連する所定の処理を実行する遊技媒体処理装置とを有する遊技システムの遊技媒体処理方法であって、
前記遊技媒体処理装置が、前記複数の遊技種のうち、遊技に使用可能な遊技種を表示対象として選択する表示対象選択工程と、
前記表示対象選択工程により選択された遊技種に対応付けられた遊技媒体数を示す情報を表示制御する表示制御工程と
を含んだことを特徴とする遊技媒体処理方法。
【請求項８】
複数の遊技種について遊技媒体数をそれぞれ対応付けて管理する管理装置と、前記複数の遊技種に対応付けられた遊技媒体数から選択された遊技媒体数を使用して所定の処理を実行する遊技媒体処理装置とを有する遊技システムの遊技媒体処理方法であって、
前記遊技媒体処理装置が、前記複数の遊技種に対応付けられた遊技媒体数が所定の条件を満たすか否かを判定する判定工程と、
前記遊技媒体処理装置が、前記判定工程により前記所定の条件を満たすと判定された遊技種に対応付けられた遊技媒体数の表示態様を他の遊技種に対応付けられた遊技媒体数の表示態様と異ならせて表示制御する表示制御工程と
を含んだことを特徴とする遊技媒体処理方法。
【発明の詳細な説明】
【技術分野】
【０００１】
この発明は、複数の遊技種について遊技媒体数をそれぞれ対応付けて管理する管理装置と、前記複数の遊技種に対応付けられた遊技媒体数から選択された遊技媒体数を使用して所定の処理を実行する遊技媒体処理装置とを有する遊技システム及び遊技媒体処理方法に関する。
【背景技術】
【０００２】
従来、パチンコ店等の遊技店では、一律のレート（１玉あたりの単価。例えば１玉４円）で遊技客にパチンコ玉を貸し出すのが一般的であったが、最近になって、遊技店内に異なるレートの区画を設ける遊技店が増加している。例えば、遊技店内を４円コーナーの区画と１円コーナーの区画に区分し、４円コーナーの区画（以下、「４円パチンコ区画」と言う）では１玉４円でパチンコ玉を貸し出し、１円コーナーの区画（以下、「１円パチンコ区画」と言う）では１玉１円でパチンコ玉を貸し出す遊技店が存在する。
【０００３】
このように、複数のレートでパチンコ玉を貸し出す場合には、遊技客が獲得したパチンコ玉を管理する際にも該パチンコ玉のレートを考慮する必要がある。このため、特許文献１が開示する貯玉管理装置は、遊技客を一意に識別する会員番号に対して複数のレートにそれぞれ対応する複数の貯玉口座を対応付けて、レート別に貯玉の管理を行っている。
【０００４】
貯玉管理装置により管理された貯玉を景品に交換する貯玉景品交換を行う際には、景品交換カウンタに設けられた景品管理装置が会員番号に対応付けられた複数の貯玉口座の残高をそれぞれ表示制御し、複数の貯玉口座から景品に交換する貯玉を選択する操作を受け付ける。
【０００５】
また、貯玉管理装置により管理された貯玉を遊技に使用する貯玉再プレイを行う際には、遊技機に併設された台間カード処理機が会員番号に対応付けられた複数の貯玉口座の残高をそれぞれ表示制御し、表示された複数の貯玉口座から遊技に使用する貯玉を選択する操作を受け付ける。
【先行技術文献】
【特許文献】
【０００６】
【特許文献１】特開２０１１−２１７８４６号公報
【発明の概要】
【発明が解決しようとする課題】
【０００７】
しかしながら、全ての貯玉口座を表示制御して選択操作を受け付けることとすると、貯玉口座が多い場合に操作に要する時間が増大するという問題が発生する。近年、パチンコ玉の貸し出しレートだけでも４円レート、２円レート、１円レート、０．５円レート等のレートが使用されている。さらに、貸し出しのレートが同一であっても、景品交換時の換金率等が異なるならば、異なる遊技種として個別の貯玉口座が必要となる。したがって、貯玉景品交換時や貯玉再プレイ時に上記の貯玉口座を全て表示制御すると、操作者が選択する貯玉口座を見つけ出して選択するために要する時間が増大し、処理効率の低下を招く。
【０００８】
このため、複数の貯玉口座を利用する際の操作性をいかに向上するかが重要な課題となっていた。かかる課題は、パチンコ玉に限らず、スロット用のメダルを用いる場合にも同様に発生する課題であり、パチンコ玉とスロット用のメダルとを併用する場合にはさらに重要な課題となる。また、パチンコ玉やスロット用のメダルを翌営業日以降にも使用可能とするために管理する貯玉口座のみならず、当日のみの利用を前提として管理する持玉口座であっても上記の課題が発生する。
【０００９】
本発明は、上述した従来技術の課題を解消するためになされたものであって、遊技種の異なる複数の遊技媒体の口座を使用する際の操作性を向上することができる遊技システム及び遊技媒体処理方法を提供することを目的とする。
【課題を解決するための手段】
【００１０】
上述した課題を解決し、目的を達成するため、本発明は、複数の遊技種について遊技媒体数をそれぞれ対応付けて管理する管理装置と、前記複数の遊技種に対応付けられた遊技媒体数あるいは前記遊技種を処理対象として選択し、遊技媒体に関連する所定の処理を実行する遊技媒体処理装置とを有する遊技システムであって、前記遊技媒体処理装置は、前記複数の遊技種のうち、遊技に使用可能な遊技種を表示対象として選択する表示対象選択手段と、前記表示対象選択手段により選択された遊技種に対応付けられた遊技媒体数を示す情報を表示制御する表示制御手段とを備えたことを特徴とする。
【００１１】
また、本発明は、複数の遊技種について遊技媒体数をそれぞれ対応付けて管理する管理装置と、前記複数の遊技種に対応付けられた遊技媒体数から選択された遊技媒体数を使用して所定の処理を実行する遊技媒体処理装置とを有する遊技システムであって、前記遊技媒体処理装置は、前記複数の遊技種に対応付けられた遊技媒体数が所定の条件を満たすか否かを判定する判定手段と、前記判定手段により前記所定の条件を満たすと判定された遊技種に対応付けられた遊技媒体数の表示態様を他の遊技種に対応付けられた遊技媒体数の表示態様と異ならせて表示制御する表示制御手段とを備えたことを特徴とする。
【００１２】
また、本発明は、上記発明において、前記管理装置は、前記複数の遊技種に対応付けられた遊技媒体数の各々について少なくとも最新の利用時間を関連付けて管理し、前記判定手段は、前記最新の利用時間が前記複数の遊技種の中で最も新しいことを条件として判定し、前記表示制御手段は、前記最終の利用時間が最新である遊技種に対応付けられた遊技媒体数の表示態様を他の遊技種に対応付けられた遊技媒体数の表示態様と異ならせて表示制御することを特徴とする。
【００１３】
また、本発明は、上記発明において、前記表示制御手段は、対応付けられた遊技媒体数が最大の遊技種に対応付けられた遊技媒体数を選択的に表示制御することを特徴とする。
【００１４】
また、本発明は、上記発明において、前記表示制御手段は、対応付けられた遊技媒体数が０より大きい遊技種に対応付けられた遊技媒体数を選択的に表示制御することを特徴とする。
【００１５】
また、本発明は、上記発明において、前記表示制御手段は、前記複数の遊技種に対応付けられた遊技媒体数を、該遊技媒体数の大きさに基づく表示順序で表示制御することを特徴とする。
【００１６】
また、本発明は、複数の遊技種について遊技媒体数をそれぞれ対応付けて管理する管理装置と、前記複数の遊技種に対応付けられた遊技媒体数あるいは前記遊技種を処理対象として選択し、遊技媒体に関連する所定の処理を実行する遊技媒体処理装置とを有する遊技システムの遊技媒体処理方法であって、前記遊技媒体処理装置が、前記複数の遊技種のうち、遊技に使用可能な遊技種を表示対象として選択する表示対象選択工程と、前記表示対象選択工程により選択された遊技種に対応付けられた遊技媒体数を示す情報を表示制御する表示制御工程とを含んだことを特徴とする。
【００１７】
また、本発明は、複数の遊技種について遊技媒体数をそれぞれ対応付けて管理する管理装置と、前記複数の遊技種に対応付けられた遊技媒体数から選択された遊技媒体数を使用して所定の処理を実行する遊技媒体処理装置とを有する遊技システムの遊技媒体処理方法であって、前記遊技媒体処理装置が、前記複数の遊技種に対応付けられた遊技媒体数が所定の条件を満たすか否かを判定する判定工程と、前記遊技媒体処理装置が、前記判定工程により前記所定の条件を満たすと判定された遊技種に対応付けられた遊技媒体数の表示態様を他の遊技種に対応付けられた遊技媒体数の表示態様と異ならせて表示制御する表示制御工程とを含んだことを特徴とする。
【発明の効果】
【００１８】
本発明によれば、複数の遊技種について遊技媒体数をそれぞれ対応付けて管理する場合に、遊技媒体処理装置は、複数の遊技種から遊技に使用可能な遊技種を表示対象として選択し、表示対象として選択された遊技種に対応付けられた遊技媒体数を表示制御するので、遊技種の異なる複数の遊技媒体の口座を使用する際の操作性を向上することができる。
【００１９】
また、本発明によれば、複数の遊技種について遊技媒体数をそれぞれ対応付けて管理する場合に、遊技媒体処理装置は、複数の遊技種に対応付けられた遊技媒体数が所定の条件を満たすか否かを判定し、所定の条件を満たすと判定された遊技種に対応付けられた遊技媒体数の表示態様を他の遊技種に対応付けられた遊技媒体数の表示態様と異ならせて表示制御するので、遊技種の異なる複数の遊技媒体の口座を使用する際の操作性を向上することができる。
【図面の簡単な説明】
【００２０】
【図１】図１は、本実施例に係る遊技システムの概念を説明するための説明図である。
【図２】図２は、本実施例に係る遊技システムのシステム構成を示す図である。
【図３】図３は、図２に示したカード管理装置の内部構成を示すブロック図である。
【図４】図４は、図３に示したカードデータについて説明するための説明図である。
【図５】図５は、図２に示した会員管理装置の内部構成を示すブロック図である。
【図６】図６は、図５に示した会員データについて説明するための説明図である。
【図７】図７は、図２に示した景品管理装置の外観構成を示す図である。
【図８】図８は、図２に示した景品管理装置の内部構成を示すブロック図である。
【図９】図９は、表示制御部による表示制御について説明するための説明図である。
【図１０】図１０は、表示条件データの設定による店側表示部の表示のバリエーションについて説明するための説明図である。
【図１１】図１１は、景品管理装置による口座残高の表示制御の処理手順を示すフローチャートである。
【図１２】図１２は、景品管理装置による景品交換の処理手順を示すフローチャートである。
【図１３】図１３は、図２に示した台間カード処理機の外観構成を示す図である。
【図１４】図１４は、図２に示した台間カード処理機の内部構成を示すブロック図である。
【図１５】図１５は、口座選択部による表示制御について説明するための説明図である。
【図１６】図１６は、台間カード処理機による口座残高の表示制御の処理手順を示すフローチャートである。
【図１７】図１７は、台間カード処理機による口座残高管理の処理手順を示すフローチャートである。
【図１８】図１８は、表示順指定データについて説明するための説明図である。
【図１９】図１９は、複数の口座の残高を表示する装置による情報表示について説明するための説明図である。
【図２０】図２０は、口座の残高が更新された場合の更新結果表示について説明するための説明図である。
【図２１】図２１は、景品交換より口座の残高が更新された場合の更新結果表示について説明するための説明図である。
【図２２】図２２は、景品管理装置による景品交換から更新口座表示までの処理手順を示すフローチャートである。（その１）
【図２３】図２３は、景品管理装置による景品交換から更新口座表示までの処理手順を示すフローチャートである。（その２）
【発明を実施するための形態】
【００２１】
以下に、添付図面を参照して、本発明に係る遊技システム及び遊技媒体処理方法の好適な実施例を詳細に説明する。
【００２２】
本明細書中にあって持玉とは、遊技客が遊技において獲得した遊技媒体または当該遊技媒体数を示すデータであって、その当日中（閉店より前の時間）のみ遊技に再度供することができるものを言う。貯玉とは、遊技客が遊技において獲得した遊技媒体また当該遊技媒体数を示すデータであって、翌日以降（閉店より後の時間）も遊技に再度供することができるものを言う。持玉は、一般遊技客および会員遊技客の双方が使用可能であり、遊技台を移動した場合等に使用する。貯玉は通常、会員遊技客のみが使用可能であり、獲得した遊技媒体を翌日以降の遊技に用いる場合に使用する。貯玉の使用には所定の手数料が課される（手数料は遊技媒体数を減算することで徴収される）ことが通常であるが、時間帯や会員種別によって徴収しないこととしてもよい。
【実施例】
【００２３】
まず、本実施例に係る遊技システムの概念について説明する。図１は、本実施例に係る遊技システムの概念を説明するための説明図である。図１に示す遊技システムは、会員管理装置５０、景品管理装置６０及び台間カード処理機１０を含んだ構成を有する。
【００２４】
会員管理装置５０は、遊技店に会員登録された会員の会員データ５４ｂを管理する装置である。また、会員管理装置５０は、遊技店で運用されているレートをレート管理データ５４ａにより管理する。
【００２５】
レート管理データ５４ａは、各レートが運用中であるか休眠中であるかを示すデータである。運用中とは、該レートで遊技可能な遊技機が遊技店内で稼働中である状態である。休眠中とは、該レートで遊技可能な遊技機が遊技店内で稼働していない状態である。図１に示すレート管理データ５４ａは、１玉４円で貸し出されたパチンコ玉を用いる４円パチンコが運用中であり、１玉２円で貸し出されたパチンコ玉を用いる２円パチンコが休眠中であり、１玉１円で貸し出されたパチンコ玉を用いる４円パチンコが運用中であることを示している。
【００２６】
会員データ５４ｂは、会員ＩＤに各レートの貯玉口座を対応付けたデータである。会員ＩＤは、会員を一意に識別する識別情報であり、該会員に発行された会員カードのカードＩＤを会員ＩＤとして用いる。各レートの貯玉口座は、それぞれ玉数、取引内容及び取引日時の項目を有する。玉数は、貯玉口座に対応付けられたパチンコ玉又はメダルの数、すなわち残高を示す。取引内容は、貯玉口座を最後に利用した時の取引の内容を示す。取引日時は、貯玉口座を最後に利用した日時を示す。
【００２７】
図１に示す会員データ５４ｂでは、４円パチンコの貯玉口座の玉数は「１５００」、取引内容は貯玉と景品との交換を示す「交換」、取引日時は「２０１１．１０．１８  １４：０５」である。また、２円パチンコの貯玉口座の玉数は「２５００」、取引内容は持玉を貯玉に移行したことを示す「貯玉」、取引日時は「２０１１．０９．０３  ２０：３０」である。また、１円パチンコの貯玉口座の玉数は「０」、取引内容は貯玉を遊技に使用したことを示す「再プレイ」、取引日時は「２０１１．１０．０７  １０：４５」である。
【００２８】
景品管理装置６０は、遊技店内の景品交換カウンタに併設された景品交換用の端末装置であり、カードからカードＩＤを読み取るリーダライタが接続されている。このリーダライタが会員カードからカードＩＤを読み取ると、景品管理装置６０は該カードＩＤに対応付けられた貯玉を会員管理装置５０から取得して表示制御する。このとき、景品管理装置６０は、所定の条件を満たした持玉を強調表示する。
【００２９】
図１に示した例では、景品管理装置６０は、取引日時が最新の貯玉を強調して表示している。具体的には、４円パチンコの貯玉口座の取引日時が最新であるので、４円パチンコの貯玉口座の玉数である「１５００」を強調して表示し、２円パチンコの貯玉口座の玉数である「２５００」とは異なる表示態様としている。なお、景品管理装置６０は、１円パチンコの貯玉口座は玉数が「０」であるので表示の対象外としている。景品管理装置６０による表示制御の詳細については後述する。
【００３０】
台間カード処理機１０は、遊技機に対するパチンコ玉又はメダルの貸し出しを行う装置である。また、台間カード処理機１０は、会員管理装置５０により管理された貯玉を遊技に提供する貯玉再プレイを行う。
【００３１】
台間カード処理機１０は、会員カードからカードＩＤを読み取ると、該カードＩＤに対応付けられた貯玉を会員管理装置５０から取得して表示制御する。このとき、台間カード処理機１０は、レート管理データ５４ａにより運用中であることが示された貯玉口座の玉数のみを選択的に表示制御する。従って、図１の例では、４円パチンコの貯玉口座の玉数である「１５００」と１円パチンコの貯玉口座の玉数である「０」が表示され、２円パチンコの貯玉口座の玉数は表示されない。
【００３２】
このように、本実施例にかかる遊技システムでは、会員管理装置５０が管理する複数の貯玉口座を表示制御する場合に、所定の条件を満たすか否か並びに貯玉口座の残高に基づいて表示の内容及び態様を制御することで、複数の貯玉口座を利用する際の操作性を向上する。
【００３３】
具体的には、貯玉を景品交換に利用する際には、利用日時が最新の貯玉口座が利用される可能性が高いので、利用日時が最新の貯玉口座の表示態様を他の口座とは異ならせることにより強調し、該貯玉口座を操作者が見いだして選択することを支援する。休眠中の貯玉口座であっても景品交換には利用可能であるので、残高が０より大きい貯玉口座は、運用中であるか休眠中であるかに関わらず表示の対象とする。
【００３４】
また、貯玉を遊技に使用する貯玉再プレイ時には、運用中のレートのみが使用可能であるので、休眠中のレートに対応する貯玉口座は表示の対象外とし、運用中のレートに対応する貯玉口座の残高を選択的に表示制御することで、操作者による貯玉口座の選択を支援する。
【００３５】
次に、本実施例に係る遊技システムのシステム構成について説明する。図２は、本実施例に係る遊技システムのシステム構成を示す図である。同図に示すように、この遊技システムは、１玉４円で貸し出されたパチンコ玉を使用するパチンコ遊技機２０ａを複数配置した４円パチンコ区画と、１玉１円で貸し出されたパチンコ玉を使用するパチンコ遊技機２０ｂを複数配置した１円パチンコ区画と、１枚２０円で貸し出されたメダルを使用するスロット遊技機２０ｃを複数配置した２０円スロット区画と、１枚５円で貸し出されたメダルを使用するスロット遊技機２０ｄを複数配置した５円スロット区画とを有する。
【００３６】
複数のパチンコ遊技機２０ａには、それぞれ台間カード処理機１０ａが対応して設けられている。台間カード処理機１０ａは、遊技種別がパチンコ玉（４円）に関連付けられており、パチンコ遊技機２０ａに対して１玉４円のレートでパチンコ玉を貸し出す処理を行う。また、台間カード処理機１０ａは、会員管理装置５０が管理する４円パチンコの貯玉口座の残高を減算し、減算した値に対応する数のパチンコ玉をパチンコ遊技機２０ａに払い出す。また、台間カード処理機１０ａは、後述するカード管理装置４０が管理する４円パチンコの持玉口座の残高を減算し、減算した値に対応する数のパチンコ玉をパチンコ遊技機２０ａに払い出す。また、台間カード処理機１０ａは、パチンコ遊技機２０ａから獲得されたパチンコ玉を計数する各台計数機能を有する。計数されたパチンコ玉は、４円パチンコの持玉としてカードに対応付けられる。
【００３７】
複数のパチンコ遊技機２０ｂには、それぞれ台間カード処理機１０ｂが対応して設けられている。台間カード処理機１０ｂは、遊技種別がパチンコ玉（１円）に関連付けられており、パチンコ遊技機２０ｂに対して１玉１円のレートでパチンコ玉を貸し出す処理を行う。また、台間カード処理機１０ｂは、会員管理装置５０が管理する１円パチンコの貯玉口座の残高を減算し、減算した値に対応する数のパチンコ玉をパチンコ遊技機２０ｂに払い出す。また、台間カード処理機１０ｂは、後述するカード管理装置４０が管理する１円パチンコの持玉口座の残高を減算し、減算した値に対応する数のパチンコ玉をパチンコ遊技機２０ｂに払い出す。また、台間カード処理機１０ｂは、パチンコ遊技機２０ｂから獲得されたパチンコ玉を計数する各台計数機能を有する。計数されたパチンコ玉は、１円パチンコの持玉としてカードに対応付けられる。
【００３８】
複数のスロット遊技機２０ｃには、それぞれ台間カード処理機１０ｃが対応して設けられている。台間カード処理機１０ｃは、遊技種別がスロットメダル（２０円）に関連付けられており、スロット遊技機２０ｃに対して１枚２０円のレートでメダルを貸し出す処理を行う。
【００３９】
複数のスロット遊技機２０ｄには、それぞれ台間カード処理機１０ｄが対応して設けられている。台間カード処理機１０ｄは、遊技種別がスロットメダル（５円）に関連付けられており、スロット遊技機２０ｄに対して１枚５円のレートでメダルを貸し出す処理を行う。
【００４０】
また、２０円スロット区画には、島端再プレイ機３２ｃが配置されている。島端再プレイ機３２ｃは、会員管理装置５０が管理する２０円スロットの貯玉口座の残高を減算し、減算した値に対応する数のメダルを払い出す。また、島端再プレイ機３２ｃは、後述するカード管理装置４０が管理する２０円スロットの持玉口座の残高を減算し、減算した値に対応する数のメダルを払い出す。
【００４１】
また、５円スロット区画には、島端再プレイ機３２ｄが配置されている。島端再プレイ機３２ｄは、会員管理装置５０が管理する５円スロットの貯玉口座の残高を減算し、減算した値に対応する数のメダルを払い出す。また、島端再プレイ機３２ｄは、後述するカード管理装置４０が管理する５円スロットの持玉口座の残高を減算し、減算した値に対応する数のメダルを払い出す。
【００４２】
また、２０円スロット区画には、島端計数機３１ｃが配置されている。島端計数機３１ｃは、スロット遊技機２０ｃから獲得されたメダルを計数する装置である。計数されたメダルは、２０円スロットの持玉としてカードに対応付けられる。
【００４３】
また、５円スロット区画には、島端計数機３１ｄが配置されている。島端計数機３１ｄは、スロット遊技機２０ｄから獲得されたメダルを計数する装置である。計数されたメダルは、５円スロットの持玉としてカードに対応付けられる。
【００４４】
台間カード処理機１０ａ〜１０ｄ、島端計数機３１ｃ及び３１ｄ、並びに島端再プレイ機３２ｃ及び３２ｄは、通信回線９０を介してカード管理装置４０、会員管理装置５０、景品管理装置６０及び自動販売機３３と接続されている。
【００４５】
カード管理装置４０は、カードＩＤにプリペイド価値及び持玉数を対応づけたカードデータを管理する装置である。カード管理装置４０は、台間カード処理機１０ａ又は１０ｂからカードＩＤ、プリペイド価値及び持玉数を受信したならばカードデータを更新する。また、カード管理装置４０は、台間カード処理機１０ａ又は１０ｂからカードＩＤを受信したならば、該カードＩＤに対応付けられたプリペイド価値及び持玉数を台間カード処理機１０に通知する。また、カード管理装置４０は、景品管理装置６０からカードＩＤを受信したならば、このカードＩＤに対応づけられた持玉数を景品管理装置６０に対して通知する。
【００４６】
会員管理装置５０は、遊技店に会員登録された会員の会員データを管理する装置である。具体的には、会員に対して発行した会員カードのカードＩＤに関連づけて、貯玉、ポイント、来店回数、遊技履歴、暗証番号及び氏名等を管理する。
【００４７】
景品管理装置６０は、遊技店内の景品交換カウンタに併設された景品交換用の端末装置であり、貯玉及び持玉の景品交換処理を行う。景品管理装置６０には、カードからカードＩＤを読み取るリーダライタ並びに特殊景品を払い出す特殊景品払出装置が接続されている。景品管理装置６０は、リーダライタがカードを受け付けた場合には、リーダライタで読み出したカードのカードＩＤをカード管理装置４０に送信して、該カードＩＤに対応付けられた持玉数を要求する。また、貯玉を景品交換する場合には、カードＩＤを会員管理装置５０に送信して、該カードＩＤに対応付けられた貯玉数を要求する。
【００４８】
自動販売機３３は、遊技店内の任意の箇所に設置され、飲料等の商品を販売する装置である。この自動販売機３３は、貨幣による支払いに加え、貯玉や持玉による支払いにも対応する。貯玉による支払いを行う場合には、自動販売機３３は、会員管理装置５０が管理する貯玉から商品価格に対応する玉数を減算する。また、持玉による支払いを行う場合には、自動販売機３３は、カード管理装置４０が管理する持玉から商品価格に対応する玉数を減算する。
【００４９】
図２に示したカード管理装置４０の内部構成について説明する。図３は、図２に示したカード管理装置４０の内部構成を示すブロック図である。同図に示すように、カード管理装置４０は、表示部４１及び入力部４２と接続される。表示部４１は、液晶パネルやディスプレイ装置等であり、入力部４２は、キーボードやマウス等である。
【００５０】
また、カード管理装置４０は、通信部４３と、記憶部４４と、制御部４５とを有する。通信部４３は、通信回線９０を介して台間カード処理機１０等とデータ通信するためのインタフェース部である。
【００５１】
記憶部４４は、ハードディスク装置や不揮発性メモリ等の記憶デバイスであり、カードデータ４４ａを記憶する。カードデータ４４ａは、カードＩＤにプリペイド価値と、レート毎の持玉数とを対応づけたデータである。
【００５２】
制御部４５は、カード管理装置４０を全体制御する制御部であり、カードデータ更新部４５ａ及びカードデータ通知部４５ｂを有する。実際には、これらの機能部に対応するプログラムを図示しないＲＯＭや不揮発性メモリに記憶しておき、これらのプログラムをＣＰＵ（Central Processing Unit）にロードして実行することにより、カードデータ更新部４５ａ及びカードデータ通知部４５ｂに対応するプロセスを実行させることになる。
【００５３】
カードデータ更新部４５ａは、カードデータ４４ａに対するデータの登録、更新及び削除を行う処理部である。カードデータ更新部４５ａは、台間カード処理機１０ａからカードＩＤ、プリペイド価値及び持玉数を受信したならば、受信したカードＩＤに対応付けられたプリペイド価値を受信したプリペイド価値に置き換え、受信したカードＩＤに対応付けられた４円パチンコの持玉口座の玉数を受信した持玉数に置き換える。
【００５４】
また、カードデータ更新部４５ａは、台間カード処理機１０ｂからカードＩＤ、プリペイド価値及び持玉数を受信したならば、受信したカードＩＤに対応付けられたプリペイド価値を受信したプリペイド価値に置き換え、受信したカードＩＤに対応付けられた１円パチンコの持玉口座の玉数を受信した持玉数に置き換える。
【００５５】
また、カードデータ更新部４５ａは、景品管理装置６０、島端計数機３１ｃ，３１ｄ、島端再プレイ機３２ｃ，３２ｄ又は自動販売機３３からカードＩＤ、利用持玉口座及び玉数を受信したならば、受信したカードＩＤ及び利用持玉口座に対応付けられた玉数を受信した玉数に置き換える。
【００５６】
カードデータ通知部４５ｂは、カードデータ４４ａを通知する処理部である。カードデータ通知部４５ｂは、台間カード処理機１０ａからカードＩＤを受信したならば、該カードＩＤに対応付けられたプリペイド価値並びに各レートの持玉口座の残高を台間カード処理機１０ａに通知する。
【００５７】
また、カードデータ通知部４５ｂは、台間カード処理機１０ｂからカードＩＤを受信したならば、該カードＩＤに対応付けられたプリペイド価値並びに各レートの持玉口座の残高を台間カード処理機１０ｂに通知する。
【００５８】
また、カードデータ通知部４５ｂは、景品管理装置６０、島端再プレイ機３２ｃ、島端再プレイ機３２ｄ又は自動販売機３３からカードＩＤを受信したならば、該カードＩＤに対応付けられた各レートの持玉口座の残高を通知する。
【００５９】
図４は、図３に示したカードデータ４４ａについて説明するための説明図である。図４に示したカードデータ４４ａは、カードＩＤにプリペイド価値の残高、４円パチンコの持玉口座の残高、１円パチンコの持玉口座の残高、２０円スロットの持玉口座の残高、並びに５円スロットの持玉口座の残高を対応付けている。持玉は、当日のみに利用可能であるので、運用中のレートに関してのみ持玉口座を有し、休眠中のレートに関しては持玉口座を有さない。
【００６０】
図４では、カードＩＤ「０００１」に対してプリペイド価値の残高「２０００」と、４円パチンコの持玉口座の残高「４０００」と、１円パチンコの持玉口座の残高「０」と、２０円スロットの持玉口座の残高「０」と、５円スロットの持玉口座の残高「０」とを対応付けている。
【００６１】
次に、図２に示した会員管理装置５０の内部構成について説明する。図５は、図２に示した会員管理装置５０の内部構成を示すブロック図である。同図に示すように、会員管理装置５０は、表示部５１及び入力部５２と接続される。表示部５１は、液晶パネルやディスプレイ装置等であり、入力部５２は、キーボードやマウス等である。
【００６２】
また、会員管理装置５０は、通信部５３と、記憶部５４と、制御部５５とを有する。通信部５３は、通信回線９０を介して台間カード処理機１０等とデータ通信するためのインタフェース部である。
【００６３】
記憶部５４は、ハードディスク装置や不揮発性メモリ等の記憶デバイスであり、レート管理データ５４ａと、会員データ５４ｂを記憶する。上述したように、レート管理データ５４ａは、各レートが運用中であるか休眠中であるかを示すデータであり、会員データ５４ｂは、会員ＩＤに各レートの貯玉口座を対応付けたデータである。なお、会員データ５４ｂには、会員の氏名、住所、電話番号、携帯電話端末の識別ＩＤなどの個人情報をさらに対応付けてもよい。
【００６４】
制御部５５は、会員管理装置５０を全体制御する制御部であり、会員データ更新部５５ａ、会員データ通知部５５ｂ、利用履歴管理部５５ｃ及びレート管理部５５ｄを有する。実際には、これらの機能部に対応するプログラムを図示しないＲＯＭや不揮発性メモリに記憶しておき、これらのプログラムをＣＰＵ（Central Processing Unit）にロードして実行することにより、会員データ更新部５５ａ、会員データ通知部５５ｂ、利用履歴管理部５５ｃ及びレート管理部５５ｄにそれぞれ対応するプロセスを実行させることになる。
【００６５】
会員データ更新部５５ａは、会員データ５４ｂに対するデータの登録、更新及び削除を行う処理部である。会員データ更新部５５ａは、台間カード処理機１０ａ〜１０ｄ、景品管理装置６０、島端再プレイ機３２ｃ，３２ｄ又は自動販売機３３からカードＩＤ、利用貯玉口座及び玉数を受信したならば、受信したカードＩＤ及び利用持玉口座に対応付けられた玉数を受信した玉数に置き換える。
【００６６】
会員データ通知部５５ｂは、会員データ５４ｂを通知する処理部である。会員データ通知部５５ｂは、台間カード処理機１０ａ〜１０ｄ、景品管理装置６０、島端再プレイ機３２ｃ、島端再プレイ機３２ｄ又は自動販売機３３からカードＩＤを受信したならば、該カードＩＤに対応付けられた各レートの貯玉口座の残高を通知する。
【００６７】
利用履歴管理部５５ｃは、貯玉口座の利用履歴を管理する処理部である。利用履歴管理部５５ｃは、貯玉口座が利用された場合に、会員データ５４ｂの取引内容及び取引日時を更新する。
【００６８】
レート管理部５５ｄは、レート管理データ５４ａを管理する処理部である。レート管理部５５ｄは、店員による操作に基づいて、レートの追加、削除、各レートが運用中であるか休眠中であるかの設定変更を行う。
【００６９】
図６は、図５に示した会員データ５４ｂについて説明するための説明図である。図５に示すように、会員データ５４ｂは、会員ＩＤに各レートの貯玉口座を対応付けている。各レートの貯玉口座は、それぞれ玉数、取引内容及び取引日時の項目を有する。
【００７０】
図６に示す会員データ５４ｂでは、４円パチンコの貯玉口座の玉数は「１５００」、取引内容は「交換」、取引日時は「２０１１．１０．１８  １４：０５」である。また、２円パチンコの貯玉口座の玉数は「２５００」、取引内容は「貯玉」、取引日時は「２０１１．０９．０３  ２０：３０」である。また、１円パチンコの貯玉口座の玉数は「０」、取引内容は「再プレイ」、取引日時は「２０１１．１０．０７  １０：４５」である。図示を省略するが、会員データ５４ｂには、０．５円パチンコの貯玉口座と、２０円スロットの貯玉口座と、１０円スロットの貯玉口座と、５円スロットの貯玉口座とが対応付けられている。また、１円スロットの貯玉口座の玉数は「３００」、取引内容は「交換」、取引日時は「２０１１．１０．１８  １８：２０」である。
【００７１】
なお図示を省略したが、会員データ５４ｂには、会員の氏名、住所、電話番号、携帯電話端末の識別ＩＤ、入会日、前回来店日、性別、来店回数、来店により付与されたポイントなどの個人情報がさらに対応付けられている。
【００７２】
次に、図２に示した景品管理装置６０の外観構成について説明する。図７は、図２に示した景品管理装置６０の外観構成を示す図である。同図（ａ）には正面上方（景品カウンタの店員側）から見た景品管理装置６０の斜視図を示し、同図（ｂ）には景品管理装置６０の背面図（景品カウンタの遊技客側）を示している。
【００７３】
図７（ａ）に示すように、景品管理装置６０の前面には、店側表示部６１、操作部６２、レシート発行部６３及びバーコードリーダ６７が設けられている。ここでは、説明の便宜上図示省略したが、電源スイッチやメモリカード差込口なども設けられる。また、景品管理装置６０には、リーダライタ７０が接続されている。
【００７４】
店員は、計数機等で発行されたレシートを遊技客から受け取ったならば、バーコードリーダ６７でレシートに印字されたバーコードを読み取り、遊技客が獲得した玉数を特定する。また、リーダライタ７０のカード挿入口７３にカードが挿入された場合には、該カードに対応付けられた持玉数及び貯玉数を特定する。このように特定した玉数は、特殊景品又は一般景品との景品交換に使用される。
【００７５】
店側表示部６１は、操作者である遊技店の店員用の表示部（兼、操作部）であり、タッチパネルカラー液晶ディスプレイ等からなる。この店側表示部６１には、景品交換内容や操作ガイダンスなどが表示される。操作部６２は、テンキー、専用キー及びモードキー等の複数のキーからなり、景品交換操作入力などを行う際に使用される。
【００７６】
レシート発行部６３は、登録リスト及び集計リスト等の各種レシートを発行処理する発行部であり、感熱式プリンタ等からなる。バーコードリーダ６７は、レシートに印字されたバーコードを読み取って、情報内容を特定する。
【００７７】
図７（ｂ）に示すように、景品管理装置６０の背面には、遊技客用の客側表示部６４が設けられている。この客側表示部６４は、蛍光表示管やタッチパネルカラー液晶ディスプレイ等からなる。遊技客は、この客側表示部６４の表示内容を確認することにより、カードに対応付けられる持玉数や貯玉数を確認することができる。さらに、客側表示部６４は、上位の装置（例えば会員管理装置５０）からイベント情報などを設定データとして通知された場合には、該イベント情報を表示することができる。
【００７８】
また、この景品管理装置６０にはリーダライタ７０が接続されている。このリーダライタ７０には、表示操作部７１、かざし部７２、カード挿入口７３及び扉カギ７４が設けられている。表示操作部７１は、タッチパネルカラー液晶ディスプレイ等からなり、カードの読み取り状況等が表示される。なお、会員カードの場合には、この表示操作部７１を用いて暗証番号が入力される。かざし部７２は、非接触ＩＣカード又はＩＣチップ内蔵の携帯電話機との間で非接触でデータの授受を行うためのかざし部である。カード挿入口７３は、会員カード及び一般カードを挿入する挿入口である。
【００７９】
次に、図２に示した景品管理装置６０の内部構成について説明する。図８は、図２に示した景品管理装置６０の内部構成を示すブロック図である。同図に示すように、この景品管理装置６０は、通信回線及びリーダライタ７０に接続されている。景品管理装置６０は、すでに説明した店側表示部６１、操作部６２、レシート発行部６３及び客側表示部６４と、バーコードリーダ６７と、記憶部６５と、制御部６６と、通信部６８とを有する。通信部６８は、景品管理装置６０が通信回線と通信するためのインタフェース部である。
【００８０】
記憶部６５は、フラッシュメモリ又はハードディスク装置等からなる記憶デバイスであり、景品マスタデータ６５ａ及び表示条件データ６５ｂを記憶する。景品マスタデータ６５ａは、特殊景品及び一般景品の景品コードごとに景品交換に要する交換玉数を対応づけたデータである。
【００８１】
表示条件データ６５ｂは、景品管理装置６０が会員管理装置５０より取得した貯玉数並びにカード管理装置４０より取得した持玉数を表示する際に用いるデータである。具体的には、表示条件データ６５ｂは、複数の貯玉口座及び持玉口座から強調表示する口座を決定するための条件、残高が「０」の口座を表示するか否か、表示順序の決定に使用する項目等を示す。
【００８２】
制御部６６は、景品管理装置を全体制御する制御部であり、景品管理部６６ａ、景品選択処理部６６ｂ、口座情報取得部６６ｃ及び表示制御部６６ｄを有する。景品管理部６６ａは、記憶部６５に記憶した景品マスタデータ６５ａを用いて景品管理装置６０の取扱対象となる特殊景品、一般景品の交換玉数等を管理する管理部である。
【００８３】
景品選択処理部６６ｂは、景品の選択処理を行う処理部である。景品との交換に使用される玉数は、バーコードリーダ６７によりレシートから読み取った獲得玉数、リーダライタ７０により読み取られたカードＩＤに対応付けられた持玉数及び貯玉数である。景品選択処理部６６ｂは、獲得玉数、持玉数及び貯玉数の範囲内で、景品マスタデータ６５ａに基づいて特殊景品及び一般景品の景品交換処理を行う。特殊景品の交換処理を行う場合には、景品選択処理部６６ｂは、獲得玉数、持玉数及び貯玉数から交換可能な特殊景品の種類及び数の組み合わせを求め、該特殊景品の種類及び数を指定した払出指示を図示しない景品払出機に送信することで、特殊景品の払い出しを行わせる。
【００８４】
口座情報取得部６６ｃは、リーダライタ７０により読み取られたカードＩＤをカード管理装置４０及び会員管理装置５０に送信する。カード管理装置４０は、上述したように、景品管理装置６０よりカードＩＤを受信すると、該カードＩＤに対応付けられた各レートの持玉口座の持玉数並びにプリペイド価値を景品管理装置６０に送信する。また、会員管理装置５０は、上述したように、景品管理装置６０よりカードＩＤを受信すると、該カードＩＤに対応付けられた各レートの貯玉口座の持玉数を景品管理装置６０に送信する。
【００８５】
表示制御部６６ｄは、受信した各レートの持玉数及び貯玉数を店側表示部６１に表示制御するととともに、リーダライタ７０の表示操作部７１に表示制御させる。この時、表示制御部６６ｄは、表示条件データ６５に基づいて表示内容を制御する。
【００８６】
図９は、表示制御部６５ｄによる表示制御について説明するための説明図である。図９に示すように、景品管理装置６０の店側表示部６１には、景品交換モードであることを示すメッセージと、現在日時と、遊技客による暗証番号入力の待機中であることを示すメッセージとが表示されている。
【００８７】
また、会員ＩＤ「０００１」と、氏名「ＸＸＸＸ」と、携帯電話の識別ＩＤ「１２３４・・・」と、入会日「２００９年７月１日」と、前回来店日「２０１１年１０月７日」と、性別「男」と、来店回数「７０回」と、来店により付与されたポイント「２０ｐ」とが表示されている。また、各レートの貯玉残高と、各レートの持玉残高と、プリペイド価値の残高「２０００」と、該遊技客の累計滞在時間「２００時間１５分」と、該遊技客の当日の滞在時間「２時間２０分」と、前回交換したタバコの銘柄「ＭＳＬ」と、前回交換したタバコ以外の一般景品「菓子０１０」とが表示されている。また、遊技客が４桁の暗証番号のうち２桁分を入力済であることを示すメッセージが表示されている。
【００８８】
表示制御部６５ｄは、各レートの貯玉残高について、表示条件データ６５ｂに基づいて表示制御する。図９に示す例では、休眠口座と残高が「０」の口座とを含む全ての貯玉口座をレート順にソートして表示し、当日に利用された貯玉口座を白黒反転表示により強調している。また、強調して表示した貯玉口座には「本日利用」とのメッセージ表示を行い、休眠口座には「休眠」とのメッセージ表示を行っている。
【００８９】
図９では、パチンコ玉の貯玉口座の残高は、４円パチンコの貯玉口座を示す「４円玉」、２円パチンコの貯玉口座を示す「２円玉」、１円パチンコの貯玉口座を示す「１円玉」、０．５円パチンコの貯玉口座を示す「０．５円玉」の順に表示されている。
【００９０】
４円玉の残高は「１５００」であり、白黒反転表示により強調表示されるとともに、「本日利用」のメッセージ表示が付されている。また、２円玉の残高は「２５００」であり、「休眠」のメッセージ表示が付されている。また、１円玉の残高は「０」である。また、０．５円玉の残高は「０」であり、「休眠」のメッセージ表示が付されている。
【００９１】
また、図９では、スロット用のメダルの貯玉口座の残高は、２０円スロットの貯玉口座を示す「２０円メダル」、１０円スロットの貯玉口座を示す「１０円メダル」、５円スロットの貯玉口座を示す「５円メダル」、１円スロットの貯玉口座を示す「１円メダル」の順に表示されている。
【００９２】
２０円メダルの残高は「０」である。１０円メダルの残高は「０」であり、「休眠」のメッセージ表示が付されている。また、５円玉の残高は「７２」である。また、１円メダルの残高は「３００」であり、白黒反転表示により強調表示されるとともに、「本日利用」及び「休眠」のメッセージ表示が付されている。
【００９３】
また、表示制御部６５ｄは、各レートの持玉残高について、表示条件データ６５ｂに基づいて表示制御する。図９に示す例では、残高が「０」の口座を含む全ての持玉口座をレート順にソートして表示している。図９では、４円パチンコの貯玉口座を示す「４円玉」の残高が「４０００」、１円パチンコの貯玉口座を示す「１円玉」の残高が「０」である。持玉口座には休眠中のレートが存在せず、全てが当日の利用結果であるので休眠や当日利用に対応するメッセージ表示は行われない。
【００９４】
また、表示制御部６６ｄは、リーダライタ７０の表示操作部７１には、貯玉口座の残高と持玉口座の残高とを表示制御させる。図９に示す例では、休眠口座と残高が「０」の口座とを含む全ての貯玉口座をレート順にソートして表示している。具体的には、４円玉の残高「１５００」、２円玉の残高「２５００」、１円玉の残高「０」及び０．５円玉の残高「０」を表示している。また、２０円メダルの残高「０」、１０円メダルの残高「０」、５円メダルの残高「７２」及び１円メダルの残高「３００」を表示している。また、持玉口座をレート順にソートして表示している。具体的には、４円持玉の残高「４０００」及び１円持玉の残高「０」を表示している。
【００９５】
店側表示部６１の表示は、表示条件データ６５ｂの設定により変更可能である。図１０は、表示条件データ６５ｂの設定による店側表示部６１の表示のバリエーションについて説明するための説明図である。
【００９６】
図１０（ａ）は、図９と同様に、全ての口座の残高をレート順にソートして表示する場合の表示例である。表示条件データ６５ｂにより残高が「０」より大きい口座のみを表示するよう設定されていたならば、図１０（ｂ）に示すように、貯玉残高については４円玉の残高と、２円貯玉の残高と、５円メダルの残高と、１円メダルの残高とが選択的に表示される。強調表示とメッセージ表示については、図１０（ａ）と同様である。
【００９７】
表示条件データ６５ｂにより残高の大きい順にソートして表示する設定されていたならば、図１０（ｃ）に示すように、パチンコ玉の貯玉口座の残高は、２円玉、４円、１円玉、０．５円玉の順で表示され、スロット用のメダルの貯玉口座の残高は、１円メダル、５円メダル、２０円メダル、１０円メダルの順に表示される。また、パチンコ玉の持玉口座の残高は、４円玉、１円玉の順で表示される。強調表示とメッセージ表示については、図１０（ａ）と同様である。
【００９８】
このように、表示条件データ６５ｂの設定により表示する口座を選択し、表示順序を変更することができる。なお、図１０に示したバリエーションに限らず、最終の取引日時が新しい順にソートする、残高が最大の口座を強調表示する、残高にレートを乗じた値が最大の口座を強調表示する等、任意の設定を行うことができる。
【００９９】
次に、景品管理装置６０による口座残高の表示制御の処理手順について説明する。図１１は、景品管理装置６０による口座残高の表示制御の処理手順を示すフローチャートである。同図に示すように、景品管理装置６０は、リーダライタ７０にカードが挿入されたか否かを判定し（ステップＳ１０１）、カードが挿入されていなければ（ステップＳ１０１；Ｎｏ）、ステップＳ１０１に移行する。
【０１００】
一方、カードが挿入されたならば（ステップＳ１０１；Ｙｅｓ）、リーダライタ７０がカードＩＤを読取り（ステップＳ１０２）、景品管理装置６０の口座情報取得部６６ｃは、リーダライタ７０により読み取られたカードＩＤを会員管理装置５０及びカード管理装置４０に送信して、該カードＩＤに対応付けられた口座の情報を取得する（ステップＳ１０３）。具体的には、会員管理装置５０より各レートの貯玉口座の情報を取得し、カード管理装置４０より各レートの持玉口座の情報を取得する（ステップＳ１０３）。
【０１０１】
景品管理装置６０の表示制御部６６ｄは、表示条件データ６５ｂに示された表示条件に基づいて、取得した口座の情報のうち、店側表示部６１及びリーダライタ７０表示操作部７１に表示する口座を選択する（ステップＳ１０４）。
【０１０２】
また、景品管理装置６０の表示制御部６６ｄは、表示条件データ６５ｂに示された表示条件に基づいて、表示する口座をソートし（ステップＳ１０５）、表示条件データ６５ｂに示された表示条件に基づいて、強調表示する口座を決定する（ステップＳ１０６）。
【０１０３】
景品管理装置６０の表示制御部６６ｄは、表示条件データ６５ｂに基づいて選択及びソートされた口座の玉数を、店側表示部６１及びリーダライタ７０の表示操作部７１に表示制御して（ステップＳ１０７）、処理を終了する。表示制御を行う際には、表示条件データ６５ｂに基づいて決定された強調表示の対象となる口座の玉数については、白黒反転して玉数を表示する。
【０１０４】
次に、景品管理装置６０による景品交換の処理手順について説明する。図１２は、景品管理装置６０による景品交換の処理手順を示すフローチャートである。景品管理装置６０は、図１１に示した口座残高の表示制御を行なった後、景品交換に使用する口座の選択操作を受け付け状態となる（ステップＳ２０１）。
【０１０５】
景品選択処理部６６ｂは、景品交換に使用する口座の選択操作を受け付けたならば（ステップＳ２０１；Ｙｅｓ）、選択された口座の表示態様を他の口座とは異ならせることで、選択された口座を強調表示する（ステップＳ２０２）。
【０１０６】
景品選択処理部６６ｂは、景品を指定されたならば（ステップＳ２０３；Ｙｅｓ）、景品マスタデータ６５ａを参照して、指定された景品との景品交換に必要な交換玉数を特定し、選択された口座の残高から交換玉数を減算して口座残高を更新する（ステップＳ２０４）。景品選択処理部６６ｂは、口座の残高を更新した後、指定された景品を提供する（ステップＳ２０５）。この景品の景況は、店員による手渡し若しくは景品払出機からの払出しにより行なう。
【０１０７】
景品選択処理部６６ｂは、指定された景品を提供した（ステップＳ２０５）後若しくは景品が指定されていない場合（ステップＳ２０３；Ｎｏ）、景品交換終了操作を受け付けた否かを判定する（ステップＳ２０６）。景品交換終了操作を受け付けていなければ（ステップＳ２０６；Ｎｏ）、景品の指定の受け付け（ステップＳ２０３）に移行する。
【０１０８】
一方、景品交換終了操作を受け付けたならば（ステップＳ２０６；Ｙｅｓ）、更新された口座残高をカードＩＤとともにカード管理装置４０及び会員管理装置５０に送信し、口座情報を更新させて（ステップＳ２０７）、処理を終了する。
【０１０９】
次に、図２に示した台間カード処理機１０の外観構成について説明する。図１３は、図２に示した台間カード処理機１０の外観構成を示す図である。なお、図１３には、パチンコ遊技機２０ａ又は２０ｂに接続された台間カード処理機１０ａ及び１０ｂの外観構成を台間カード処理機１０として示している。また、併設される遊技機は、破線で図示している。また、図１３では、紙幣のみを受け付ける台間カード処理機１０を図示したが、硬貨受け付け用のユニットを設けることもできる。
【０１１０】
図１３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入口１２とを有する。また、台間カード処理機１０は、タッチパネルディスプレイ等の表示操作部１３と、カードを受け付けるカード挿入口１４と、パチンコ玉を遊技機に投出するノズルユニット１７と、遊技機の下皿から落下させたパチンコ玉を計数する計数ユニット１８とを有する。
【０１１１】
次に、図２に示した台間カード処理機１０の内部構成について説明する。図１４は、図２に示した台間カード処理機１０の内部構成を示すブロック図である。図１４に示すように、台間カード処理機１０は、表示操作部１３と、カードリーダライタ１１０ａと、紙幣搬送部１１０ｂと、通信部１１０ｃと、記憶部１０ｅと、制御部１０ｆとを有する。また、台間カード処理機１０は、ノズルユニット１７及び計数ユニット１８と接続している。
【０１１２】
カードリーダライタ１１０ａは、カード挿入口１４に挿入されたカードからカードＩＤを読み取る読取部である。なお、カード挿入口１４に挿入されたカードは、このカードリーダライタ１１０ａを経て図示しないカード収納部に収納される。
【０１１３】
紙幣搬送部１１０ｂは、紙幣挿入口１２から挿入された紙幣の金種及び真偽を判別しつつ図示しない紙幣収納部に搬送する搬送部である。通信部１１０ｃは、遊技機、会員管理装置５０及びカード管理装置４０との間のデータ通信を行うためのインタフェース部である。
【０１１４】
記憶部１０ｅは、ハードディスク装置や不揮発性メモリ等からなる記憶デバイスである。記憶部１０ｅは、カードＩＤ１０ｅ１、プリペイド価値データ１０ｅ３、持玉数データ１０ｅ４、貯玉数データ１０ｅ５及び自口座設定１０ｅ６を記憶する。
【０１１５】
カードＩＤ１０ｅ１は、カードリーダライタ１１０ａにより読み取られたカードＩＤである。図示しないカード収納部からカード挿入口１４にカードが搬送され、該カードが排出される場合には、この搬送途中でカードリーダライタ１１０ａにより読み取られたカードＩＤによってカードＩＤ１０ｅ１が更新される。また、カード挿入口１４から図示しないカード収納部にカードが搬送される場合にも、この搬送途中でカードリーダライタ１１０ａにより読み取られたカードＩＤによってカードＩＤ１０ｅ１が更新される。
【０１１６】
プリペイド価値データ１０ｅ３は、遊技客の現時点のプリペイド価値の残高を示す。プリペイド価値は、入金若しくはプリペイド価値が関連付けられたカードの挿入により加算され、パチンコ玉の貸出処理により減算される。
【０１１７】
持玉数データ１０ｅ４は、遊技客の現時点の持玉数を示す。持玉数は、カード管理装置４０の持玉口座から取得するか、若しくは計数ユニット１８による計数により加算され、持玉再プレイ処理により減算される。貯玉数データ１０ｅ５は、遊技客の現時点の貯玉数を示す。貯玉数は、会員管理装置５０の貯玉口座からの取得により加算され、持玉再プレイ処理により減算される。
【０１１８】
自口座設定１０ｅ６は、台間カード処理機１０に設定された口座の情報を示す。４円パチンコ区画に設置された台間カード処理機１０ａであれば、自口座設定１０ｅ６は「４円パチンコ」を示し、１円パチンコ区画に設置された台間カード処理機１０ｂであれば、自口座設定１０ｅ６は「１円パチンコ」を示すこととなる。
【０１１９】
制御部１０ｆは、台間カード処理機１０を全体制御する制御部であり、データ管理部１０ｆ１、紙幣処理部１０ｆ２、カード処理部１０ｆ３及び口座選択部１０ｆ４を有する。
【０１２０】
データ管理部１０ｆ１は、記憶部１０ｅに記憶したプリペイド価値データ１０ｅ３、持玉数データ１０ｅ４及び貯玉数データ１０ｅ５を管理する管理部である。データ管理部１０ｆ１は、遊技客により玉貸し操作が行われると、プリペイド価値データ１０ｅ３が示すプリペイド価値から所定値（例えば「１０００」）を減算して更新し、減算したプリペイド価値に対応する数（例えば「２５０」）のパチンコ玉を貸し出す。
【０１２１】
また、データ管理部１０ｆ１は、紙幣挿入口１２に紙幣が挿入されると、この紙幣分に相当するプリペイド価値をプリペイド価値データ１０ｅ３に加算して更新する。また、データ管理部１０ｆ１は、カード挿入口１４にカードが挿入された場合に、このカードに対応付けられたプリペイド価値をプリペイド価値データ１０ｅ３に加算して更新する。なお、ここでは説明の便宜上、「加算」及び「減算」を行う場合を示しているが、例えばプリペイド価値データ１０ｅ３そのものに加算するのではなく、加算した値でプリペイド価値データ１０ｅ３を更新することも可能である。
【０１２２】
また、データ管理部１０ｆ１は、計数ユニット１８がパチンコ玉を計数した場合には、計数した玉数を持玉数データ１０ｅ４に加算する。また、データ管理部１０ｆ１は、持玉再プレイ操作を受け付けたならば、持玉数データ１０ｅ４を所定数（例えば２５玉）減算して、減算した玉数を遊技機から払い出す。持玉再プレイ操作を受け付けた際に、持玉数データ１０ｅ４が所定数未満である場合には、該玉数をノズルユニット１７より払い出して、持玉数データ１０ｅ４を０とする。
【０１２３】
また、データ管理部１０ｆ１は、貯玉再プレイ操作を受け付けたならば、貯玉数データ１０ｅ５を所定数（例えば２５玉）減算して、対応する玉数を遊技機から払い出す。貯玉再プレイ操作を受け付けた際に、貯玉数データ１０ｅ５が所定数未満である場合には、該玉数に対応する玉数をノズルユニット１７より払い出して、貯玉数データ１０ｅ５を０とする。
【０１２４】
紙幣処理部１０ｆ２は、通常モードで動作中に、紙幣挿入口１２から受け付けた紙幣を搬送制御しつつ該紙幣の金種識別及び真偽識別を行った後に、該紙幣を図示しない紙幣収納部に収納する処理部である。
【０１２５】
カード処理部１０ｆ３は、カード挿入口１４からカードを受け付けたならば、カードリーダライタ１１０ａによりカードＩＤを読み取らせ、カードＩＤ１０ｅ１として記憶部１０ｅに記憶させる。
【０１２６】
また、カード処理部１０ｆ３は、カードＩＤ１０ｅ１をカード管理装置４０に送信して、該カードＩＤに関連付けられた各レートの持玉口座の情報をカード管理装置４０から受け取る。また、カード処理部１０ｆ３は、カードＩＤ１０ｅ１を会員管理装置５０に送信して、該カードＩＤに関連付けられた各レートの貯玉口座及びプリペイド価値の情報を会員管理装置５０から受け取る。
【０１２７】
また、カード処理部１０ｆ３は、カード返却操作を受け付けたならば、持玉数データ１０ｅ４と、カードＩＤ１０ｅ１と、プリペイド価値データ１０ｅ３とをカード管理装置４０に送信してカードデータを更新させる。また、貯玉数データ１０ｅ５と、カードＩＤ１０ｅ１とを会員管理装置５０に送信して会員データを更新させる。その後、プリペイド価値データ１０ｅ３、持玉数データ１０ｅ４及び貯玉数データ１０ｅ５を零にクリアし、カード挿入口１４からカードを返却する。
【０１２８】
口座選択部１０ｆ４は、各レートの持玉口座及び貯玉口座を取得した場合に、取得した各レートの持玉口座及び貯玉口座の残高のうち、自口座設定１０ｅ６に示されたレートに対応する持玉口座の残高を持玉数データ１０ｅ４に加算し、自口座設定１０ｅ６に示されたレートに対応する貯玉口座の残高を貯玉数データ１０ｅ５に加算する。また、遊技客からの操作に基づいて、運用中の口座の残高を表示制御する。
【０１２９】
図１５は、口座選択部１０ｆ４による表示制御について説明するための説明図である。図１５（ａ）は、口座選択部１０ｆ４が表示操作部１３に表示制御するメニュー画面を示す。メニュー画面では、会員カードが挿入されていることを示す表示とともに、会員情報の表示操作を受け付ける「会員情報」ボタン、持玉口座の残高の表示操作を受け付ける「持玉情報」ボタン、貯玉口座の残高の表示操作を受け付ける「貯玉情報」ボタン、及び表示制御の終了操作を受け付ける「戻る」ボタンが表示される。
【０１３０】
「持玉情報」ボタンが押下操作されると、口座選択部１０ｆ４は、図１５（ｂ）に示すように、カード管理装置４０より取得した持玉口座の残高を表示する。図１５（ｂ）は、４円パチンコの残高「４０００」と、１円パチンコの残高「０」が表示された状態を示している。
【０１３１】
また、「貯玉情報」ボタンが押下操作されると、口座選択部１０ｆ４は、図１５（ｃ）に示すように、カード管理装置４０より取得した貯玉口座のうち、運用中の口座の残高を表示する。図１５（ｃ）は、４円パチンコの残高「１５００」と、１円パチンコの残高「０」が表示された状態を示している。
【０１３２】
次に、台間カード処理機１０による口座残高の表示制御の処理について説明する。図１６は、台間カード処理機１０による口座残高の表示制御の処理手順を示すフローチャートである。同図に示すように、台間カード処理機１０は、カードリーダライタ１１０ａにカードが挿入されたか否かを判定し（ステップＳ３０１）、カードが挿入されていなければ（ステップＳ３０１；Ｎｏ）、ステップＳ３０１に移行する。
【０１３３】
一方、カードが挿入されたならば（ステップＳ３０１；Ｙｅｓ）、カードリーダライタ１１０ａがカードＩＤを読取り（ステップＳ３０２）、カードリーダライタ１１０ａにより読み取られたカードＩＤを会員管理装置５０及びカード管理装置４０に送信して、該カードＩＤに対応付けられた口座の情報を取得する（ステップＳ３０３）。具体的には、会員管理装置５０より各レートの貯玉口座の情報を取得し、カード管理装置４０より各レートの持玉口座の情報を取得する。
【０１３４】
台間カード処理機１０の口座選択部１０ｆ４は、会員管理装置５０よりレート管理データ５４ａを取得し（ステップＳ３０４）、レート管理データ５４ａに運用中であることが示された貯玉口座を選択する（ステップＳ３０５）。口座選択部１０ｆ４は、選択した貯玉口座の残高と、カード管理装置４０より取得した持玉口座の残高を表示操作部１３に表示制御して（ステップＳ３０６）、処理を終了する。
【０１３５】
このように、台間カード処理機１０は、取得した口座の残高のうち、遊技に使用可能な運用中の口座の残高のみを選択的に表示する。このため、遊技客は、多数の口座の残高から遊技に使用する口座を選択するために必要な情報を簡易に確認可能である。また、台間カード処理機１０が設置されている区画のレートに限らず、運用中の全レートの口座残高を確認可能であるので、レートの異なる区画に移動するか否かを決めるために残高の情報を利用できることとなる。
【０１３６】
次に、台間カード処理機１０による口座残高管理の処理手順について説明する。図１７は、台間カード処理機１０による口座残高管理の処理手順を示すフローチャートである。台間カード処理機１０は、図１６に示した口座残高の表示制御を行なった後、持玉再プレイ操作を受け付けたか否かを判定する（ステップＳ４０１）。
【０１３７】
持玉再プレイ操作を受け付けたならば（ステップＳ４０１；Ｙｅｓ）、データ管理部１０ｆ１は、持玉数データ１０ｅ４が示す持玉数から所定数を減算し、対応する数のパチンコ玉を払出す（ステップＳ４０２）。
【０１３８】
持玉数から所定数を減算してパチンコ玉を払出した（ステップＳ４０２）後若しくは、持玉再プレイ操作を受け付けていない場合（ステップＳ４０１；Ｎｏ）、台間カード処理機１０は、貯玉再プレイ操作を受け付けたか否かを判定する（ステップＳ４０３）。
【０１３９】
貯玉再プレイ操作を受け付けたならば（ステップＳ４０３；Ｙｅｓ）、データ管理部１０ｆ１は、貯玉数データ１０ｅ５が示す貯玉数から所定数を減算し、対応する数のパチンコ玉を払出す（ステップＳ４０４）。
【０１４０】
貯玉数から所定数を減算してパチンコ玉を払出した（ステップＳ４０４）後若しくは、持玉再プレイ操作を受け付けていない場合（ステップＳ４０３；Ｎｏ）、台間カード処理機１０は、計数を行なったか否かを判定する（ステップＳ４０５）。計数を行なったならば（ステップＳ４０５；Ｙｅｓ）、データ管理部１０ｆ１は、計数した玉数を持玉数データ１０ｅ４が示す持玉数に加算する（ステップＳ４０６）。
【０１４１】
計数した玉数を持玉数に加算した（ステップＳ４０６）後若しくは計数を行なっていない場合（ステップＳ４０５；Ｎｏ）、台間カード処理機１０は、カード排出操作を受け付けたか否かを判定する（ステップＳ４０７）。カード排出操作を受け付けていなければ（ステップＳ４０７；Ｎｏ）、台間カード処理機１０は、持玉再プレイ操作を受け付けたか否かの判定（ステップＳ４０１）に移行する。
【０１４２】
一方、カード排出操作を受け付けたならば（ステップＳ４０７；Ｙｅｓ）、台間カード処理機１０は、持玉数をカードＩＤとともにカード管理装置４０に送信し（ステップＳ４０８）、貯玉数をカードＩＤとともに会員管理装置５０に送信して（ステップＳ４０９）、処理を終了する。
【０１４３】
なお、図１４から図１７にはパチンコ遊技機に併設される台間カード処理機を例示して説明したが、スロット遊技機に併設される台間カード処理機では、パチンコ玉の代わりにメダルを取り扱う点と、各台計数機能を有さない点が異なる他は、主要な構成及び動作は同一である。
【０１４４】
また、スロット遊技機を設置した区画では、島端再プレイ機を設けているので、貯玉又は持玉の払出を島端再プレイ機にて行うこともできる。このため、島端再プレイ機においても台間カード処理機１０と同様に、運用中の口座の残高を選択的に表示する。
【０１４５】
また、自動販売機３３は、貯玉や持玉を商品の決済に使用可能であるが、商品の決済に用いる口座は運用中の口座に限らず、休眠中の口座でも使用可能である。このため、自動販売機３３における口座残高の表示制御には、景品管理装置６０と同様の表示制御を適用する。
【０１４６】
次に、口座の残高表示の変形例について説明する。台間カード処理機１０や景品管理装置６０など複数の口座の残高を表示する装置に対し、口座の表示順を示す表示順指定データを記憶させる構成を用いることで、各装置における口座の表示順を任意に制御することができる。
【０１４７】
図１８は、表示順指定データについて説明するための説明図である。図１８に示す基本指定データ１０１は、パチンコ玉の口座についての表示順を指定したデータである。基本指定データ１０１は、「玉２」を１番目に表示することを指定しており、「玉２」の口座の名称が「４円パチ」であることを示している。また、基本指定データ１０１は、「玉１」を２番目に表示することを指定しており、「玉１」の口座の名称が「２円パチ」であることを示している。また、基本指定データ１０１は、「玉３」を３番目に表示することを指定しており、「玉３」の口座の名称が「１円パチ」であることを示している。
【０１４８】
図１８に示す基本指定データ１０２は、メダルの口座についての表示順を指定したデータである。基本指定データ１０２は、「Ｍ１」を１番目に表示することを指定しており、「Ｍ１」の口座の名称が「２０円スロ」であることを示している。また、基本指定データ１０２は、「Ｍ３」を２番目に表示することを指定しており、「玉３」の口座の名称が「１０円スロ」であることを示している。また、基本指定データ１０２は、「Ｍ２」を３番目に表示することを指定しており、「Ｍ２」の口座の名称が「５円スロ」であることを示している。
【０１４９】
さらに、島端計数機（玉計数機又はメダル計数機）や台間カード処理機など、使用する口座が決まっている装置は、自口座設定データ１０３を記憶する。図１８に示す自口座設定データ１０３は、「玉３」が設定されている。これは、該データを記憶した装置が１円パチンコ区画に設置され、計数した玉数を１円パチンコの口座である「玉３」に加算することを示している。
【０１５０】
次に、複数の口座の残高を表示する装置による情報表示について説明する。図１９は、複数の口座の残高を表示する装置による情報表示について説明するための説明図である。図１９に示すように、特定の区画に設置された計数機等の単レート機器と、再プレイ機のように複数レートに対応する複数レート機器とで設定される表示順は異なる。
【０１５１】
図１９（ａ）に示すように、単レート機器である玉計数機は、自口座設定データ１０３に示された自口座を表示順「１」とし、自口座以外の玉口座を表示順「２」とし、メダル口座を表示順「３」とし、ポイント口座を表示順「４」としている。
【０１５２】
また、単レート機器であるメダル計数機は、自口座設定データ１０３に示された自口座を表示順「１」とし、自口座以外のメダル口座を表示順「２」とし、玉口座を表示順「３」とし、ポイント口座を表示順「４」としている。
【０１５３】
また、複数レート機器である玉再プレイ機は、玉口座を表示順「１」とし、メダル口座を表示順「２」とし、ポイント口座を表示順「３」としている。また、複数レート機器であるメダル再プレイ機は、メダル口座を表示順「１」とし、玉口座を表示順「２」とし、ポイント口座を表示順「３」としている。
【０１５４】
図１９（ｂ）は、１円パチンコ区画に設置された玉計数機の表示画面例である。図１９（ｂ）に示すように、１円パチンコ区画に設置された玉計数機は、「１円パチ」が自口座であるので、「１円パチ」の口座残高「５００」を一番目に表示する。次に、基本指定データ１０１に基づいて、「４円パチ」の口座残高「１５００」と「２円パチ」の口座残高「２５００」を順に表示する。
【０１５５】
また、玉口座の次に、メダル口座が指定されているため、メダル口座については、基本指定データ１０２に基づいて、「２０円スロ」の口座残高「０」、「１０円スロ」の口座残高「０」並びに「５円スロ」の口座残高「０」を順に表示する。
【０１５６】
また、メダル口座の次にポイント口座が指定されているため、ポイントの口座残高「３００」を表示する。さらに、画面に表示可能な口座の数よりも表示すべき口座の数の方が多い場合に、表示する口座を切り替えるための操作ボタンが表示されている。
【０１５７】
図１９（ｃ）は、複数レート機器である玉再プレイ機の表示画面例である。複数レート機器である玉再プレイ機は、自口座の情報を持たない。このため、基本指定データ１０１に基づいて、「４円パチ」の口座残高「１５００」、「２円パチ」の口座残高「２５００」並びに「１円パチ」の口座残高「５００」を順に表示する。
【０１５８】
また、玉口座の次に、メダル口座が指定されているため、メダル口座については、基本指定データ１０２に基づいて、「２０円スロ」の口座残高「０」、「１０円スロ」の口座残高「０」並びに「５円スロ」の口座残高「０」を順に表示する。
【０１５９】
また、メダル口座の次にポイント口座が指定されているため、ポイントの口座残高「３００」を表示する。さらに、画面に表示可能な口座の数よりも表示すべき口座の数の方が多い場合に、表示する口座を切り替えるための操作ボタンが表示されている。
【０１６０】
このように、単レート機器は、口座の情報を表示する場合に、自口座を最優先に表示し、他の口座を基本指定データ１０１、１０２に従って表示するため、遊技客は使用される口座を簡易に確認でき、また他の口座の残高も確認することができる。また、複数レート機器は、口座の情報を表示する場合に、基本指定データ１０１、１０２に従って表示するため、遊技客は各口座の情報を簡易に確認できる。
【０１６１】
次に、口座の残高が更新された場合の更新結果表示について説明する。図２０は、口座の残高が更新された場合の更新結果表示について説明するための説明図である。図２０に示すように、特定の区画に設置された計数機等の単レート機器と、再プレイ機のように複数レートに対応する複数レート機器とで設定される表示順は異なる。
【０１６２】
図１９（ａ）に示すように、単レート機器である玉計数機は、自口座設定データ１０３に示された自口座を表示順「１」とし、自口座以外の玉口座を表示順「２」とし、メダル口座を表示順「３」とし、ポイント口座を表示順「４」としている。
【０１６３】
また、単レート機器であるメダル計数機は、自口座設定データ１０３に示された自口座を表示順「１」とし、自口座以外のメダル口座を表示順「２」とし、玉口座を表示順「３」とし、ポイント口座を表示順「４」としている。
【０１６４】
また、複数レート機器である玉再プレイ機は、口座からの払出数を表示順「１」とし、口座からの払出しに要した手数料を表示順「２」とし、残高の更新が行なわれた更新口座を表示順「３」とし、玉口座を表示順「４」とし、メダル口座を表示順「５」とし、ポイント口座を表示順「６」としている。
【０１６５】
また、複数レート機器であるメダル再プレイ機は、口座からの払出数を表示順「１」とし、口座からの払出しに要した手数料を表示順「２」とし、残高の更新が行なわれた更新口座を表示順「３」とし、メダル口座を表示順「４」とし、玉口座を表示順「５」とし、ポイント口座を表示順「６」としている。
【０１６６】
図２０（ｂ）は、１円パチンコ区画に設置された玉計数機における更新結果の表示画面例である。図２０（ｂ）に示すように、１円パチンコ区画に設置された玉計数機は、「１円パチ」が自口座であるので、「１円パチ」の口座残高「１０００」を一番目に表示する。この「１円パチ」の口座残高は、玉計数機により計数した玉数が加算されて更新されているので、表示色や背景色などの表示態様を他の口座と異ならせる。
【０１６７】
また、自口座の次に、基本指定データ１０１に基づいて「４円パチ」の口座残高「１５００」と「２円パチ」の口座残高「２５００」を順に表示する。また、玉口座の次に、メダル口座が指定されているため、メダル口座については基本指定データ１０２に基づいて、「２０円スロ」の口座残高「０」、「１０円スロ」の口座残高「０」並びに「５円スロ」の口座残高「０」を順に表示する。
【０１６８】
また、メダル口座の次にポイント口座が指定されているため、ポイントの口座残高「３００」を表示する。さらに、画面に表示可能な口座の数よりも表示すべき口座の数の方が多い場合に、表示する口座を切り替えるための操作ボタンが表示されている。
【０１６９】
図２０（ｃ）は、複数レート機器である玉再プレイ機における更新結果の表示画面例であり、「１円パチ」の口座から２５０玉を払い出した状態を示している。この画面例では、一番目に「払出数」「２５０」を表示し、次に「手数料」「１０」を表示する。
【０１７０】
また、「手数料」の次に、残高が更新された「１円パチ」の口座残高「７４０」を表示する。「払出数」、「手数料」及び「１円パチ」の口座残高については、再プレイにより更新された状態であるので、表示色や背景色などの表示態様を他の口座と異ならせる。
【０１７１】
「１円パチ」の口座残高の次には、基本指定データ１０１に基づいて、「４円パチ」の口座残高「１５００」並びに「２円パチ」の口座残高「２５００」を順に表示する。また、玉口座の次に、メダル口座が指定されているため、メダル口座については、基本指定データ１０２に基づいて、「２０円スロ」の口座残高「０」、「１０円スロ」の口座残高「０」並びに「５円スロ」の口座残高「０」を順に表示する。
【０１７２】
また、メダル口座の次にポイント口座が指定されているため、ポイントの口座残高「３００」を表示する。さらに、画面に表示可能な口座の数よりも表示すべき口座の数の方が多い場合に、表示する口座を切り替えるための操作ボタンが表示されている。
【０１７３】
このように、更新された口座の情報を表示する場合は、更新に関する情報を最優先に表示し、その表示態様を他の口座と異ならせることにより、遊技客は更新に関する情報を簡易に確認することができる。
【０１７４】
次に、景品交換より口座の残高が更新された場合の更新結果表示について説明する。図２１は、景品交換より口座の残高が更新された場合の更新結果表示について説明するための説明図である。図２１に示すように、複数レート機器である景品管理装置は、景品との交換に使用した玉数である「交換数」を表示順「１」とし、玉口座を表示順「２」とし、メダル口座を表示順「３」とし、ポイント口座を表示順「４」としている。
【０１７５】
図２１（ｂ）は、景品管理装置における更新結果の表示画面例である。図２１（ｂ）に示すように、景品管理装置は、景品交換に使用した「交換数」を一番目に表示する。この「交換数」は、表示色や背景色などの表示態様を他の口座と異ならせる。
【０１７６】
また、「交換数」の次に、基本指定データ１０１に基づいて「４円パチ」の口座残高「１５００」、「２円パチ」の口座残高「２５００」並びに「１円パチ」の口座残高「３４０」を順に表示する。ここで、「１円パチ」は、景品交換に使用することで残高が更新されているので、表示色や背景色などの表示態様を他の口座と異ならせる。
【０１７７】
また、玉口座の次に、メダル口座が指定されているため、メダル口座については基本指定データ１０２に基づいて、「２０円スロ」の口座残高「０」、「１０円スロ」の口座残高「０」並びに「５円スロ」の口座残高「０」を順に表示する。
【０１７８】
また、メダル口座の次にポイント口座が指定されているため、ポイントの口座残高「３００」を表示する。さらに、画面に表示可能な口座の数よりも表示すべき口座の数の方が多い場合に、表示する口座を切り替えるための操作ボタンが表示されている。
【０１７９】
このように、景品管理装置が更新された口座の情報を表示する場合は、更新に関する情報の表示態様を他の口座と異ならせることにより、どの口座の残高が更新されたかを簡易に確認できるようにしている。ここで、更新された口座の表示順を変更せず、基本指定データ１０１、１０２に従って表示するのは、景品交換ではいずれの口座が交換に使用されるかを事前に知ることができず、情報表示画面と更新結果表示画面とで表示順を異ならせると、表示内容を誤認する可能性があるためである。
【０１８０】
次に、景品管理装置による景品交換から更新口座表示までの処理手順について説明する。図２２及び図２３は、景品管理装置による景品交換から更新口座表示までの処理手順を示すフローチャートである。
【０１８１】
同図に示すように、景品管理装置は、リーダライタによりカードの読み込みが行われたならば（ステップＳ５０１；Ｙｅｓ）、読み取ったカードのカードＩＤをカード管理装置４０及び会員管理装置５０に送信することで、該カードに対応づけられた口座情報を取得して記憶し、表示する（ステップＳ５０２）。また、取得した持玉口座及び貯玉口座を表示する際には、最後に使用された口座や残高が最大の口座など、所定の条件を満たす口座の表示態様を他の口座とは異ならせて強調表示する。
【０１８２】
景品管理装置は、口座情報を取得した場合（ステップＳ５０２）に、暗証番号の受け付けを開始する（ステップＳ５０３）。この暗証番号は、貯玉口座を景品交換に用いて残高を減算する際に必要な暗証番号である。
【０１８３】
また、景品管理装置は、取得した口座のうち、いずれの口座を景品交換に使用するかの選択を受け付ける（ステップＳ５０４）。選択された使用口座は、他の口座とは異なる表示態様とする。
【０１８４】
口座選択（ステップＳ５０４）の後又はリーダライタによるカードの読み込みが行われていない場合（ステップＳ５０１；Ｎｏ）、景品管理装置は、バーコードリーダにより計数レシートの読み取りが行われたか否かを判定する（ステップＳ５０５）。
【０１８５】
バーコードリーダにより計数レシートの読み込みが行われたならば（ステップＳ５０５；Ｙｅｓ）、読み取った計数レシートに示された獲得玉数をレシートデータとして累積する（ステップＳ５０６）。なお、獲得玉数にはレートが関連付けられている。既に使用口座が選択されているならば、使用口座とレートが同一の計数レシートのみを受け付け、使用口座とレートが異なる計数レシートは返却するようにしてもよい。
【０１８６】
レシートデータの累積（ステップＳ５０６）の後又はバーコードリーダによる計数レシートの読み込みが行われていない場合（ステップＳ５０５；Ｎｏ）、景品管理装置は、景品の選択が行われたか否かを判定する（ステップＳ５０７）。
【０１８７】
景品の選択が行われたならば（ステップＳ５０７；Ｙｅｓ）、景品管理装置は、景品交換処理を行う（ステップＳ５０８）。具体的には、景品管理装置は、獲得玉数、持玉数及び貯玉数の範囲内で、景品マスタデータ６５ａに基づいて特殊景品及び一般景品の景品交換処理を行う。
【０１８８】
景品交換処理（ステップＳ５０８）の後若しくは景品の選択が行われていない場合（ステップＳ５０７；Ｎｏ）、景品管理装置は、終了操作を受け付けたか否かを判定する（ステップＳ５０９）。終了操作を受け付けていなければ（ステップＳ５０９；Ｎｏ）、景品管理装置はカードを読み取ったか否かの判定（ステップＳ５０１）に移行する。
【０１８９】
終了操作を受け付けたならば（ステップＳ５０９；Ｙｅｓ）、景品管理装置は、カードが挿入された状態であるか否かを判定する（ステップＳ５１０）。カードが挿入されていない（ステップＳ５１０；Ｎｏ）、すなわち計数レシートのみで景品交換を行なった場合には、景品交換後の残り玉数を端玉処理して（ステップＳ５１１）、処理を終了する。この端玉処理は、端玉の返却や取り込みなど、任意の方法を用いることができる。
【０１９０】
終了操作が行なわれたときにカードが挿入されているならば（ステップＳ５１０；Ｙｅｓ）、景品管理装置は、景品交換により貯玉口座の残高が減算されたか否かを判定する（ステップＳ５２１）。
【０１９１】
貯玉口座の残高が減算されているならば（ステップＳ５２１；Ｙｅｓ）、景品管理装置は、暗証番号の入力を受け付け済であるか否かを判定する（ステップＳ５２２）。暗証番号が未入力であるならば（ステップＳ５２２；Ｎｏ）、景品管理装置は、暗証番号の入力待ちとなる。
【０１９２】
暗証番号が入力済である場合（ステップＳ５２２；Ｙｅｓ）若しくは貯玉の残高が減算されていない場合（ステップＳ５２１；Ｎｏ）には、景品管理装置は、カード管理装置４０及び会員管理装置５０に対し、口座残高の更新を要求する（ステップＳ５２３）。なお、貯玉の残高が減算されていない場合とは、計数レシートに示された獲得玉数を貯玉することで、貯玉の残高が増加する場合を含む。
【０１９３】
口座残高の更新要求（ステップＳ５２３）の後、景品管理装置は、更新後の各口座の残高を取得する（ステップＳ５２４）。景品管理装置は、取得した更新後の各口座残高を、カード読み込み時に取得した各口座残高と比較する。比較対象となるのは、運用中の口座残高である。運用中の各口座について比較が終了すれば、比較の結果差分（増減値）のあった口座を特定する。そして、差分（増減値）がある口座として特定された口座を強調表示して各口座残高を表示する（ステップＳ５２５）。この場合、景品管理装置から会員管理装置に送信した差分値と、比較結果の差分値が異なる場合には、口座残高の更新結果が正常に行なわれなかった旨を識別可能に報知してもよい。口座残高の表示（ステップＳ５２５）の後、景品管理装置は、カードを返却して（ステップＳ５２６）、処理を終了する。
【０１９４】
このように、更新後に改めて各口座の残高を取得し、更新前の口座残高並びに更新要求の内容と比較することで、会員管理装置により管理されている口座残高との正確な比較を行なうことができ、比較の結果を操作者が視認可能となるよう表示することができる。
【０１９５】
なお、図２２及び図２３では、更新前後の各口座残高を比較し、残高が変更された口座を強調表示する処理手順を示したが、景品交換用の使用口座として選択された口座の残高を強調表示することで、どの口座の残高が変更されたかを示すようにしてもよい。使用口座として選択された口座の残高を強調表示する場合には、使用口座の選択時に選択された口座を（フラグを立てるなどして）記憶しておき、景品交換終了時にこの記憶された情報を参照し、各口座に対応してフラグが記憶されているかどうかにより強調表示の対象となる口座を決定する。また、カードを読み込んで口座を選択する場合には、使用口座が選択された時点でその情報を記憶し、計数レシートを読み込んで口座を記憶する場合には、読み込んだ計数レシートから特定したレート情報を元に使用口座を記憶する。
【０１９６】
上述してきたように、本実施例では、複数のレートについて持玉口座及び貯玉口座を管理し、台間カード処理機１０や島端再プレイ機３２は、運用中の口座の残高を選択的に表示制御するので、レートの異なる複数の口座を使用する際の操作性を向上することができる。
【０１９７】
また、本実施例では、複数のレートについて持玉口座及び貯玉口座を管理し、景品管理装置６０や自動販売機３３は、複数の口座のうち所定の条件を満たす口座の残高を他の口座の残高と異ならせて表示制御するので、複数の口座を使用する際の操作性を向上することができる。
【０１９８】
なお、本実施例では、景品管理装置は複数のレートを取り扱うこととして説明を行ったが、景品管理装置を単レート装置として実施することもできる。この場合には、景品管理装置は、自口座設定を記憶し、自口座設定に示された口座の情報のみを表示することとなる。
【０１９９】
また、台間カード処理機１０で持玉や貸玉の使用口座を強調表示するときに、上述した景品管理装置の場合と同様に、更新前と更新後の各口座の残高を比較することで強調表示する口座を選択することとしてもよい。
【０２００】
また、表示態様を異ならせる場合には、文字の色を変更する、文字のサイズを変更する、フォントを変更する、網掛けを行う、表示順序を変える等任意の方法を用いることができる。
【０２０１】
なお、本実施例は、遊技種の一例として、貸出レートが異なる口座を取り扱う場合を説明したが、本発明の適用はレート毎の口座に限定されるものではない。本発明は、貯玉の手数料や景品交換時の還元率などが異なる遊技種に個別の口座を設ける場合に広く適用可能である。
【０２０２】
また、本実施例で図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０２０３】
以上のように、本発明に係る遊技システム及び遊技媒体処理方法は、遊技種の異なる複数の遊技媒体の口座を使用する際の操作性向上に適している。
【符号の説明】
【０２０４】
１０、１０ａ〜１０ｄ    台間カード処理機
１０ｅ、４４、５４、６５  記憶部
１０ｅ１  カードＩＤ
１０ｅ３  プリペイド価値データ
１０ｅ４  持玉数データ
１０ｅ５  貯玉数データ
１０ｅ６  自口座設定
１０ｆ、４５、５５、６６    制御部
１０ｆ１    データ管理部
１０ｆ２    紙幣処理部
１０ｆ３    カード処理部
１０ｆ４    口座選択部
１１    状態表示部
１２    紙幣挿入口
１３    表示操作部
１４    カード挿入口
１７    ノズルユニット
１８    計数ユニット
２０ａ、２０ｂ  パチンコ遊技機
２０ｃ、２０ｄ  スロット遊技機
３１ｃ、３１ｄ  島端計数機
３２ｃ、３２ｄ  島端再プレイ機
３３    自動販売機
４０    カード管理装置
４１、５１    表示部
４２、５２    入力部
４３、５３、６８、１１０ｃ  通信部
４４ａ  カードデータ
４５ａ  カードデータ更新部
４５ｂ  カードデータ通知部
５０    会員管理装置
５４ａ  レート管理データ
５４ｂ  会員データ
５５ａ  会員データ更新部
５５ｂ  会員データ通知部
５５ｃ  利用履歴管理部
５５ｄ  レート管理部
６０    景品管理装置
６１    店側表示部
６２    操作部
６３    レシート発行部
６４    客側表示部
６７    バーコードリーダ
７０    リーダライタ
７１    表示操作部
７２    かざし部
７３    カード挿入口
７４    扉カギ
８０    精算機
９０    通信回線
１１０ａ  カードリーダライタ
１１０ｂ  紙幣搬送部
１０１、１０２  基本指定データ
【図１】
2013183953.tif 000003
【図２】
2013183953.tif 000004
【図３】
2013183953.tif 000005
【図４】
2013183953.tif 000006
【図５】
2013183953.tif 000007
【図６】
2013183953.tif 000008
【図７】
2013183953.tif 000009
【図８】
2013183953.tif 000010
【図９】
2013183953.tif 000011
【図１０】
2013183953.tif 000012
【図１１】
2013183953.tif 000013
【図１２】
2013183953.tif 000014
【図１３】
2013183953.tif 000015
【図１４】
2013183953.tif 000016
【図１５】
2013183953.tif 000017
【図１６】
2013183953.tif 000018
【図１７】
2013183953.tif 000019
【図１８】
2013183953.tif 000020
【図１９】
2013183953.tif 000021
【図２０】
2013183953.tif 000022
【図２１】
2013183953.tif 000023
【図２２】
2013183953.tif 000024
【図２３】
2013183953.tif 000025